(57)【特許請求の範囲】
【請求項１】
本体に装着された本体操作手段からの操作信号及びリモコン装置からの操作信号のいずれか一方の操作信号に基づき、情報を表示部上に表示する表示装置において、
入力される操作信号が前記本体操作手段からの操作信号か又は前記リモコン装置からの操作信号かを判断し、その判断の結果により、前記表示部の輝度を切り替える制御をする制御手段を備え、
前記表示部は自発光型表示部と液晶表示部とが同一面上に並置されており、
前記制御手段は、入力される操作信号が前記リモコン装置からの操作信号であると判断した場合に前記自発光型表示部を駆動することにより前記表示部を高輝度に切り替える制御を行い、前記本体操作手段からの操作信号であると判断した場合に前記液晶表示部を駆動することにより前記表示部を低輝度に切り替える制御を行う表示装置。
【請求項２】
前記制御手段は、前記自発光型表示部を駆動することにより前記表示部を高輝度に切り替える制御を行った時点から一定時間経過後に前記表示部を低輝度に切り替える制御を行う請求項１に記載の表示装置。
【請求項３】
前記自発光型表示部はEL発光素子を用いて構成されている請求項１又は２に記載の表示装置。
【発明の詳細な説明】
【技術分野】
【０００１】
本発明は、表示装置に関する。
【背景技術】
【０００２】
オーディオ装置には、通常リモコン装置が付属されており、ユーザはこのリモコン装置によりオーディオ装置を遠隔操作することができる。
【０００３】
リモコン装置による遠隔操作の内容としては、例えば音楽の再生操作や再生メディアの切り替え操作、オーディオ装置の電源ＯＮ／ＯＦＦ操作等がある。これらの操作が行われる際に、オーディオ装置に付属の表示部にはその内容が表示される。
【０００４】
ここで、リモコン装置はオーディオ装置から離れた場所で用いられることを目的とするものであり、実際そのように用いられる場合が多い。よって、ユーザは、オーディオ装置から離れた場所にいる場合であっても、オーディオ装置で表示される表示画面の内容について、容易に視認できることが望ましい。
【０００５】
特許文献１によれば、表示部の表示画面が液晶パネルを用いたものである場合、視野角の調整を遠隔操作することが可能な技術が開示されている。
リモコン装置によって視野角の調整が可能であるため、ユーザは表示画面から離れた場所にいる場合であっても容易に表示される内容を視認可能とすることができる。
【特許文献１】特開平８−１２３３５３号公報
【発明の開示】
【発明が解決しようとする課題】
【０００６】
しかし、特許文献１に記載の技術では、視野角の調整を遠隔操作することはできるが、輝度の調整を遠隔操作することはできない。よって、ユーザは、例えば輝度の高低によって視認が困難となることがある。
【０００７】
本発明の目的は、輝度を切り替えることによって、不要なエネルギーコストを抑えるとともに、離れた場所にあるオーディオ装置等の表示画面を容易に視認し得る表示装置を提供することである。
【課題を解決するための手段】
【０００８】
請求項１に記載の発明によれば、
本体に装着された本体操作手段からの操作信号及びリモコン装置からの操作信号のいずれか一方の操作信号に基づき、情報を表示部上に表示する表示装置において、
入力される操作信号が前記本体操作手段からの操作信号か又は前記リモコン装置からの操作信号かを判断し、その判断の結果により、前記表示部の輝度を切り替える制御をする制御手段を備え、
前記表示部は自発光型表示部と液晶表示部とが同一面上に並置されており、
前記制御手段は、入力される操作信号が前記リモコン装置からの操作信号であると判断した場合に前記自発光型表示部を駆動することにより前記表示部を高輝度に切り替える制御を行い、前記本体操作手段からの操作信号であると判断した場合に前記液晶表示部を駆動することにより前記表示部を低輝度に切り替える制御を行う表示装置が提供される。
【００１３】
請求項２に記載の発明によれば、請求項１に記載の発明において、
前記制御手段は、前記自発光型表示部を駆動することにより前記表示部を高輝度に切り替える制御を行った時点から一定時間経過後に前記表示部を低輝度に切り替える制御を行う表示装置が提供される。
【００１４】
請求項３に記載の発明によれば、請求項１又は２に記載の発明において、
前記自発光型表示部はEL発光素子を用いて構成されている表示装置が提供される。
【発明の効果】
【００１７】
本発明によれば、リモコン装置で遠隔操作した場合、オーディオ装置等の表示画面は本体で操作した場合よりも異なる輝度で表示される。
これにより、ユーザは表示画面の内容を容易に視認することができ、操作性を向上し得る。また、輝度を切り替えることにより、不要なエネルギーコストを抑えることができる。
【発明を実施するための最良の形態】
【００１８】
以下、本実施形態における表示装置の最適な構成及び動作について、図面を用いて詳細に説明する。なお、本実施形態において、表示装置としてオーディオ装置を一例に挙げて説明しているがこれに限らず、ビデオ装置等であってもよい。つまり、表示部を有し、かつ、遠隔操作した際にその内容が表示部に表示される表示装置であればよい。
【００１９】
まず図１に、本実施形態におけるオーディオシステム１００の全体構成図を示す。
オーディオシステム１００は、オーディオ装置１０及びリモコン装置２０により構成される。
【００２０】
オーディオ装置１０は、表示部１１、本体操作部１２等を備えて構成される。また、リモコン装置２０は、遠隔操作部２１等を備えて構成される。
【００２１】
オーディオ装置１０は、リモコン装置２０からの遠隔操作信号により、遠隔操作信号に応じた情報を選択可能に表示部１１に表示する。ここでいう、遠隔操作信号に応じた情報とは、例えば作曲家の名称や楽曲の名称等の情報である。
【００２２】
また、オーディオ装置１０は、リモコン装置２０からの遠隔操作信号に従って、各種処理を実行する。各種処理としては、例えば楽曲の再生処理、メディアの切り替え処理、電源ＯＮ／ＯＦＦの切り替え処理等が挙げられる。
【００２３】
このように、オーディオ装置１０は、リモコン装置２０からの遠隔操作信号に応じた情報を表示部１１に表示し、又は遠隔操作信号に応じた各種処理を実行する。
なお、本体操作部１２からの本体操作信号によっても、遠隔操作信号と同様の内容を表示部１１に表示し、各種処理を行うことが可能である。
【００２４】
次に、図２を参照して、本実施形態におけるオーディオ装置１０の機能ブロック図について説明する。
オーディオ装置１０は、表示部１１、本体操作部１２、制御部１３、受光部１４を備えて構成される。
【００２５】
表示部１１は、有機ＥＬ（Electro Luminescence）ディスプレイ及びドライバ等を備えて構成される（図示省略）。なお、表示部１１は、有機ＥＬディスプレイに限られず、自発光型のディスプレイで構成されるものであればよい。自発光型のディスプレイには、例えばＬＥＤ（Light Emitting Diode）ディスプレイやＶＦ（Vacuum Fluorescent）ディスプレイがある。
表示部１１は、本体操作信号又は遠隔操作信号に応じた情報を選択可能に表示する。
【００２６】
本体操作部１２は、表示部１１により選択可能に表示された各種情報を選択するための操作キー群を備えて構成される（図示省略）。
本体操作部１２は、ユーザにより操作キーが押下されると、操作キーに応じた本体操作信号を生成してこれを後述する制御部１３に出力する。
【００２７】
制御部１３は、受信した本体操作信号に応じた情報を表示部１１に表示し、又は本体操作信号に応じた各種処理を実行する。なお、表示部１１に表示する内容としては、上述したように作曲家の名称等であり、実行する各種処理としては楽曲の再生処理等である。
【００２８】
また、制御部１３は、後述する受光部１４から遠隔操作信号を受信すると、遠隔操作信号に応じた情報を表示部１１に表示し、又は遠隔操作信号に応じた各種処理を実行する。
ここで、制御部１３は、遠隔操作信号により行う表示及び各種処理のうち、表示に関する処理については本体操作信号による表示処理とは異なる処理を行う。
【００２９】
具体的には、制御部１３は、遠隔操作信号に応じた情報を表示部１１に表示させる際、高輝度に設定にして表示部１１に表示させる処理を行う。この際の表示処理については図３で後述する。
【００３０】
受光部１４は、リモコン装置２０からの赤外線信号（遠隔操作信号）を受信する。そして、受信した遠隔操作信号を増幅、復調し、更に波形整形、誤り訂正等の各種処理を施した後、制御部１３に出力する。
【００３１】
リモコン装置２０は、遠隔操作部２１、発光部２２等を備えて構成される。
遠隔操作部２１は、表示部１１により選択可能に表示された各種情報を選択するための操作キー群を備えて構成される（図示省略）。
遠隔操作部２１は、ユーザにより操作キーが押下されると、操作キーに応じた遠隔操作信号を生成してこれを発光部２２に出力する。
【００３２】
発光部２２は、赤外線ＬＥＤ（Light Emitting Diode）等により構成され、遠隔操作信号をオーディオ装置１０の受光部１４に出力する。
【００３３】
次に、図３を参照して、本実施形態におけるオーディオ装置１０の動作について説明する。なお、以下に説明する動作は、制御部１３と図示しない記憶部に記憶されている各種プログラムとの協働により行われる。
【００３４】
まず、制御部１３は、操作信号又は遠隔操作信号を受信するまで待機し（ステップＳ１；ＮＯ）、受信した場合に次の処理へと移行する（ステップＳ１；ＹＥＳ）。
【００３５】
制御部１３は、受信した信号が遠隔操作信号か否かについて判断する（ステップＳ２）。
受信した信号が遠隔操作信号である場合（ステップＳ２；ＹＥＳ）、制御部１３は、表示部１１の現時点における輝度設定について、高輝度設定であるか否か判断する（ステップＳ３）。
【００３６】
ここで、輝度設定には、高輝度設定と低輝度設定とがあり、これらの輝度設定に関する情報は図示しない記憶部に予め記憶されているものとする。輝度設定に関する情報には、例えば現時点における輝度設定が高輝度又は低輝度の何れであるかについての情報や、高輝度の場合の輝度レベル及び低輝度の場合の輝度レベルについての情報等がある。
【００３７】
制御部１３は、遠隔操作信号又は本体操作信号の何れかを受信した際に、現時点における輝度設定の情報を記憶部から読み出す。このとき、制御部１３は遠隔操作信号を受信したのであれば、輝度設定を高輝度設定にして表示する処理を行うこととなる。具体的には、より高い電圧をかけて遠隔操作信号に応じた情報を表示部１１に表示させる。
【００３８】
遠隔操作信号を受信した場合であって、輝度設定が高輝度設定でない場合（ステップＳ３；ＮＯ）、制御部１３は輝度設定を高輝度設定に切り替える（ステップＳ４）。
【００３９】
制御部１３は、輝度設定を高輝度設定に切り替えた後、遠隔操作信号に応じた情報を表示部１１に表示し又は遠隔操作信号に応じた各種処理を実行して（ステップＳ５）、本処理を終了する。
【００４０】
ステップＳ２に戻り、制御部１３の受信した信号が遠隔操作信号でない場合（ステップＳ２；ＮＯ）、制御部１３は、表示部１１の現時点における輝度設定について、低輝度設定であるか否か判断する（ステップＳ６）。
【００４１】
遠隔操作信号を受信した場合でなく、輝度設定が低輝度設定でない場合（ステップＳ６；ＮＯ）、制御部１３は輝度設定を低輝度設定に切り替える（ステップＳ７）。
【００４２】
制御部１３は、輝度設定を低輝度設定に切り替えた後、本体操作信号に応じた情報を表示部１１に表示し又は本体操作信号に応じた各種処理を実行して（ステップＳ５）、本処理を終了する。
【００４３】
ここで、上述してきた本実施形態において、表示部１１は有機ＥＬのような自発光型のディスプレイであるとしたが、バックパネルを有するＬＣＤ（Liquid Crystal Display）としてもよい。この場合、制御部１３がバックパネルの輝度設定を切り替えることにより、上述してきた本実施形態と同様の効果を得ることができる。なお、バックパネルの輝度設定の切り替えに際しては、バックパネルの電源をＯＮ／ＯＦＦと切り替えることとしてもよい。
【００４４】
また、表示部１１は、有機ＥＬディスプレイとＬＣＤとから構成される表示画面を備えることとしてもよい。
以下、図４を参照して、表示部１１が有機ＥＬディスプレイとＬＣＤとから構成される場合のオーディオ装置１０について説明する。
【００４５】
図４に示すオーディオ装置１０では、表示部１１において有機ＥＬディスプレイ１１ａとＬＣＤ１１ｂとが並列に配置されて構成される。
この場合、制御部１３は遠隔操作信号を受信すると、遠隔操作信号に応じた情報を有機ＥＬディスプレイ１１ａ上に表示する。
一方、本体操作信号を受信した場合には本体操作信号に応じた情報をＬＣＤ１１ｂ上に表示する。
【００４６】
一般的に、自発光型である有機ＥＬディスプレイ１１ａの方がＬＣＤ１１ｂよりも高輝度で表示可能である。よって、制御部１３は、遠隔操作信号を受信した場合と本体操作信号を受信した場合とで表示するディスプレイを切り替えることとすれば、結果的に輝度の切り替えを行うことになる。
【００４７】
また、表示部１１における有機ＥＬディスプレイ１１ａとＬＣＤ１１ｂとが、発光方向において重畳して配置構成されることとしてもよい。この場合も図４と同様、制御部１３は遠隔操作信号を受信した場合には遠隔操作信号に応じた情報を有機ＥＬディスプレイ１１ａ上に表示し、本体操作信号に応じた情報をＬＣＤ１１ｂ上に表示する。
【００４８】
更に、制御部１３は、遠隔操作信号に応じた情報を高輝度で表示部１１に表示した場合、一定時間経過後に低輝度での表示に切り替える処理を行うこととしてもよい。この場合、図１のオーディオ装置１０であれば、制御部１３は輝度設定を高輝度から低輝度へ切り替える処理を行う。また、図４のオーディオ装置１０であれば、制御部１３は有機ＥＬディスプレイ１１ａからＬＣＤ１１ｂへ表示ディスプレイを切り替える処理を行う。
【００４９】
以上のように、本実施形態によれば、リモコン装置２０からの遠隔操作信号を受信した場合、表示部１１の輝度設定を切り替えて遠隔操作信号に応じた情報を表示させることができる。
【００５０】
また、表示部１１は、自発光表示部１１ａと液晶表示部１１ｂとを並べて備えることとしてもよい。これにより、高輝度で情報を表示することができる。
【００５１】
また、表示部１１は、自発光表示部１１ａと液晶表示部１１ｂとを発光面において重畳して備えることとしてもよい。この場合、オーディオ装置１０において表示部１１が占める割合を少なくすることができ、装置の小型化を図ることができる。
【００５２】
また、自発光表示部１１ａと液晶表示部１１ｂとを発光面において重畳して備える場合、具体的には発光方向後方側に自発光表示部１１ａ、発光方向前方側に液晶表示部１１ｂを配置する。これにより、上述の効果を得ることができる。
【００５３】
また、遠隔操作信号に応じた情報を表示部１１に表示する際には高輝度にして表示することができる。例えば、遠隔操作信号に応じた情報は自発光表示部１１ａ上に表示させ、本体操作信号に応じた情報は液晶表示部１１ｂ上に表示させる。
これにより、ユーザはオーディオ装置１０から離れた場所にいる場合であっても、表示部１１に表示された内容を容易に視認することができる。
【００５４】
また、遠隔操作信号に応じた情報を高輝度により表示した場合、一定時間経過すると低輝度、つまり本体操作信号に応じた情報を表示する輝度と同様の輝度に切り替えることとしてもよい。これにより、不要な消費電力の低減を図ることができる。
【００５５】
また、自発光表示部１１ａは、例えば有機ＥＬディスプレイとしてもよい。
【図面の簡単な説明】
【００５６】
【図１】オーディオシステムの全体構成図である。
【図２】オーディオ装置の機能ブロック図である。
【図３】オーディオ装置の処理フロー図である。
【図４】２種類のディスプレイを備えるオーディオ装置の全体構成図である。
【符号の説明】
【００５７】
１００  オーディオシステム
１０    オーディオ装置
２０    リモコン装置
１１    表示部
１２    本体操作部
１３    制御部
２１    遠隔操作部
【図１】
0005186907.tif 000002
【図２】
0005186907.tif 000003
【図３】
0005186907.tif 000004
【図４】
0005186907.tif 000005